(57)【特許請求の範囲】
【請求項１】
密封されたチャンバを有するウエハー組立体であって、前記ウエハー組立体は、
くぼみ部を有する第１のウエハーと、くぼみ部の外周部を越え第１のウエハー上に配置される密封リングと、密封リングの外周部内にポートを有し密封リング上に配置されくぼみ部からチャンバを形成する第２のウエハーと、を有し、前記チャンバは焼き付けされ、焼き付けにより除去されるガスが前記ポートを通って前記チャンバから排出され、前記前記ウエハー組立体はさらに、第２のウエハー上に蒸着された金属でなりポートを閉鎖しチャンバを密封する層を備える密封されたチャンバを有するウエハー組立体。
【請求項２】
密封リングが半田から作られる請求項１記載のウエハー組立体。
【請求項３】
蒸着された金属で作られる層が半田で作られる請求項２記載のウエハー組立体。
【請求項４】
チャンバには少なくとも１つの装置が内蔵される請求項１記載のウエハー組立体。
【請求項５】
少なくとも１つの装置が熱電装置である請求項４記載のウエハー組立体。
【請求項６】
少なくとも１つの装置がボロメータである請求項４記載のウエハー組立体。
【請求項７】
複数のくぼみ部を有する第１のウエハーと、第１のウエハー近傍の第２のウエハーと、複数のくぼみ部の各々の外周部で第１及び第２のウエハー間に配置され第１及び第２のウエハーに付設される密封材料で作られるリングと、複数のポートを有する第２のウエハーと、第２のウエハー上に蒸着された密封材料で作られ複数のポートを閉鎖して複数の気密密封された焼き付けされた内側表面を備える容積部を形成する層とを備え、複数のポートの少なくとも１つが複数のくぼみ部の各くぼみ部の外周部内にある、複数の気密密封された容積部を有したウエハー組立体。
【請求項８】
密封材料が金属である請求項７記載のウエハー組立体。
【請求項９】
ウエハー対が複数のチップに分割され、各チップが気密密封された複数の容積部を持つスペーサを有する請求項８記載のウエハー組立体。
【請求項１０】
少なくとも１つの気密密封された容積部が少なくとも１つの装置を内蔵する請求項９記載のウエハー組立体。
【請求項１１】
少なくとも１つの装置が熱電検出器である請求項９記載のウエハー組立体。
【請求項１２】
少なくとも１つの装置がボロメータである請求項９記載のウエハー組立体。
【請求項１３】
第１の側から第１のウエハーを貫通し第２の側へ延びるポートを有した第１のシリコンウエハーと、第１の側にくぼみ部を有する第２のシリコンウエハーと、ポートを含む第１のウエハーの第１の側に形成される材料でなる層とを備え、第２のウエハーの第１の側が第１のウエハーの第１の側と接着され、くぼみ部は第１及び第２のウエハーの外気に対し密封された焼き付けされた内側表面を備えるチャンバを形成する、密封されたチャンバを有したウエハー組立体。
【請求項１４】
第１のウエハーの第２の側に形成されチャンバ内に配置される検出器を備える請求項１３記載のウエハー組立体。
【請求項１５】
第２のウエハーが検出器と外気との間の光学的な窓である請求項１４記載のウエハー組立体。
【請求項１６】
第１の側から第１のウエハーを貫通し第２の側へと延びる複数のポートを有する第１のウエハーと、第１の側に複数のくぼみ部を有する第２のウエハーとを備え、第２のウエハーの第１の側が第１のウエハーの第２の側と接着され、複数のくぼみ部の各々が複数のポートのうちの少なくとも１つのポートを持つ焼き付けされた内側表面を備えるチャンバを形成するウエハー組立体。
【請求項１７】
第１及び第２のウエハーが真空の外気内に配置され、各チャンバ内の真空が複数のくぼみ部の各々により形成され、第１の側に形成される材料層を備え、材料層は第１のウエハーの複数のポートを含み外気に対し各チャンバを密封する請求項１６記載のウエハー組立体。
【請求項１８】
各チャンバ内に配置される少なくとも１つの検出器を備え、第２のウエハーが各チャンバナイン少なくとも１つの検出器と第１の外気環境との間の光学的な窓である請求項１７記載のウエハー組立体。
【請求項１９】
第１及び第２のウエハーがシリコンで作られる請求項１８記載のウエハー組立体。
【請求項２０】
第１及び第２のウエハーが一以上の密封されたチャンバを有するチップに切断される請求項１９記載のウエハー組立体。
【請求項２１】
第１のシリコンウエハーと、第１のシリコンウエハーの第１の側上に形成される複数のボロメータ装置と、第１のウエハーの第１及び第２の側間で第１のシリコンウエハー内に形成される複数の排気ポートと、第２のウエハーの第１の側に形成される複数のくぼみ部及び複数の密封リングを有する第２のシリコンウエハーと、第１のシリコンウエハーの第２の側の複数の排気ポート上に蒸着される材料でなる層とを備え、第２のシリコンウエハーの第１の側は密封リングを介し第１のシリコンウエハーに対し接着され、複数の密封リングと関連する複数のくぼみ部及び第１のシリコンウエハーの第１の側は複数のチャンバを形成し、複数のチャンバの各々は複数のボロメータ装置の少なくとも１つを囲み、且つ複数の排気ポートの少なくとも１つを囲み、複数のチャンバの各々は焼き付けされた内側表面を備える、ウエハー組立体。
【請求項２２】
複数のチャンバの各々が密封され０．５トルより小さな圧力を有する請求項２１記載のウエハー組立体。
【請求項２３】
第１のウエハーがシリコンで作られる請求項２２記載のウエハー組立体。
【請求項２４】
検出器が密封リングの下部に延びる電気接続部を有する請求項２３記載のウエハー組立体。
【請求項２５】
第１のシリコンウエハーと、第１のシリコンウエハーの第１の側に形成される複数の装置と、第１のシリコンウエハーの第１及び第２の側間で第１のシリコンウエハー内に形成される複数の排気ポートと、複数のくぼみ部及び第２のシリコンウエハーの第１の側上に形成される複数の密封リングを有する第２のシリコンウエハーと、第１のシリコンウエハーの第２の側の複数の排気ポート上に蒸着される材料でなる層とを備え、第２のシリコンウエハーの第１の側が密封リングを介し第１のシリコンウエハーの第１の側に対し接着され、複数の密封リングと関連する複数のくぼみ部及び第１のシリコンウエハーの第１の側は複数のチャンバを形成し、複数のチャンバの各々は複数の装置の少なくとも１つ及び複数の排気ポートの少なくとも１つを囲み、複数のチャンバの各々は焼き付けされた内側表面を備える、ウエハー組立体。
【請求項２６】
複数のチャンバの各々が密封される請求項２５記載のウエハー組立体。
【請求項２７】
複数のチャンバの各々が０．５トルより低い圧力を有する請求項２６記載のウエハー組立体。
【請求項２８】
複数の装置が熱電検出器である請求項２６記載のウエハー組立体。
【請求項２９】
複数の装置がボロメータである請求項２６記載のウエハー組立体。
【請求項３０】
複数の装置がエミッタである請求項２６記載のウエハー組立体。
【発明の詳細な説明】
【０００１】
（技術分野）
この発明は、真空包封された微細構造装置に関する。この発明は２ウエハー間の空洞部の真空密封、特に空洞部からガスを排出する止栓の可能な穴を有する２枚のウエハーに関する。
【０００２】
微細構造赤外（ＩＲ）装置のような各種の装置においては最適化のため真空包封が必要である。従来の真空包装は複雑でコスト高になっていた。ウエハーレベルの真空封入の周知の従来法では十分に低い圧力が得られず、高々０．５トルの範囲に限られている。この圧力の状態では、例えば熱電（ＴＥ）装置では５０％の信号損失が生じる。
【０００３】
（発明の開示）
本発明は止栓可能な穴を有する２枚のウエハーを密封しその間に空洞部を形成し、空洞部から止栓可能な穴を通してガスを排出する構成を得る。空洞部からガスを排出した後この穴は蒸着した金属で止栓される（塞がれる）。この結果一体の真空包装（ＩＶＰ）が得られる。この方法では同時に真空密封を行う要がなく２枚のウエハーを密封可能である。最終に真空密封は金属の厚い層を蒸着あるいはスパッタリングして小さなガス排出穴を塞ぐことにより高真空下で実行可能である。この方法によれば、最終の真空密封の前にウエハー間の密封部及び内面を完全に焼き付け可能である。この方法は２機能を分離し、焼き付けを半田処理法に限定されない。密封及び焼き付けに対し独立的に制御され、ボンド出来高が最大にされ残留圧力が最小にされる。またこの方法によれば、各真空空洞部に直接接近可能であるので、ウエハーの周部から内側へポンプする必要がない。この方法が実施されその結果、空洞部内の圧力センサにより測定して残留圧力の真空レベルが１０ミリトルより小さかった。この密封により基板形態が効果的にカバーされる。０．２５ミクロンの形態に対する密封が実証された。必要な処理温度は３００℃より低い。このチップは周知のチップ処理装置で処理可能である。この処理により９０％を超える作業が行われる。この真空密封されたチップのコストは周知の真空密封チップのコストより低く８０〜９０％である。この方法によれば、１００ミリトルより低い圧力に対し１０年（最高１５０℃の外気温度でのテストデータにより示される）の高温寿命を有する密封されたＴＥ装置が得られる。
【０００４】
（発明を実施するための最良の形態）
図１ａ、図１ｂ及び図２は真空排出ポート１１及び蒸着されたプラグの最終の真空密封部１２を有する装置１０を示す。蒸着層１２によりプラグ１１が密封されチャンバ１６が気密に密封される。ウエハー１３、１４はシリコンのような同一の材料で作られ、従って同一の熱膨張率を有している。ウエハー１３、１４は半田密封リング１５で共に接着される。ウエハー１３は検出器ウエハーであり、一方ウエハー１４はトップキャップウエハーである。チヤンバ１６はウエハー１３の表面の検出器からなるアレイ１７を含み、トップキャップウエハー１４の反射防止被覆されたシリコン窓を通して入射される放射線を検出するチャンバである。
【０００５】
チヤンバ１６は境界部１８を有するウエハー１４内の約１２５ミクロンのくぼみ部により区画される。後でガスを排出して真空空洞部になるのはこのチヤンバである。トップキャップウエハー１４の厚さは約４３０ミクロンであり、チップウエハー１３の厚さは約５００ミクロンである。密封リング１５は９０％の鉛と１０％のインジウムからなる配合物である。プラグ１２の厚さは約２０ミクロンであり、５０％の鉛と５０％のインジウムからなる配合物である。
【０００６】
図３は同一の材料のウエハーからなり、ウエハーを密封し複数の空洞部を形成する複数のチップ１０からなるウエハー２０を示す。各チャンバ１６は開口ポート１１を有しており、チャンバ１６は焼き付けされガス抜きされる。次に真空の環境下でポート１１を有するウエハー１３の表面に金属１２を蒸着し、こあれによりポート１１が閉鎖されチャンバ１６が閉鎖されて内部が真空状態にされる。閉鎖されたポートを密封するための半田ボールが試みられたが、空洞部内を低圧あるいは真空に維持することが殆どできなかった。密封されたトップキャップウエハーによりもろい微細構造装置１７が保護できるので、接着され密封された後、このウエハー１３、１４は破断することなく個々のチップに分断できる。更にプラグは変位可能な半田ボール若しくはプラグではなく蒸着層１２であるので、プラグは変位されることはない。
【０００７】
チップ１０を形成する方法が図４ａ〜図４ｍに示される。検出器ウエハー１３の作成方法は２度研磨された（１００）シリコンウエハー１３から開始される。図４ａでは、ＳｉＯ２で作られた１−ミクロン層２２ａ、２３ａがウエハー１３上に成長され、低圧化学蒸着法（ＬＰＣＶＤ）によりＳｉ３Ｎ４で作られた０．３−ミクロン層２２ｂ、２３ｂが蒸着される。Ｓｉ３Ｎ４層２２ｂ及びＳｉＯ２層２２ａはウエハー１３の「正面」から除去される。１０００−オングストロームの熱ＳｉＯ２層２４は図４ｂのウエハー１３の正面上で成長される。図４ｃではＳｉ３Ｎ４（ボトムブリッジ窒化物）の２０００オングストロームの層２５が層２４上に蒸着される。熱電対の第１の金属ＮｉＦｅ（６０：４０）が層２５上の１１００−オングストローム層２６として蒸着され、次に第１の金属層２６がイオンミリングにより第１のマスクを用いてパターン化処理されて図４ｄの如き配列になる。
【０００８】
熱電対検出器の第２の金属の場合、クロムで作成された千−オングストローム層２７が層２５、２６上に蒸着される。図４ｅの層２７はイオンミリング及び湿潤エッチングにより第２のマスクを用いてパターンイング処理される。図４ｆではトップブリッジ窒化物として６０００オングストロームのＳｉ３Ｎ４からなる層２８が金属層２６、２７及び層２５上に蒸着される。吸収材２９が図４ｇの層２８上に蒸着され第３のマスクを用いてパターンイング処理される。吸収材２９はＳｉ３Ｎ４の層３０でキャップ処理（ｃａｐ）される。図４ｈに示すのように、金属層２７に対しプラズマエッチング処理されたバイア穴３１はパターンイング処理され第４のマスクを用いて形成される。図４ｉで最終エッチングのためプラズマエッチング処理されたバイア穴３２はパターンイング処理され第５のマスクを用いて掘り形成される。５０００オングストロームのＣｒ、２０００オングストロームのＮｉ、及び５０００オングストロームのＡｕが蒸着され、パターン化処理され、リフトオフ処理されて図４ｊのパッド・半田フレーム金属３３が形成される。第１の金属２６あるいは第２の金属２７内の活性導出部４０は図４ｊの密封リング金属３３の下部を延びている。図４ｋではプラズマエッチング処理されたガス排出ポートバイア穴１１はウエハー１３の背部の層２３ｂ、２３ａ上でパターンイング処理され掘り形成される。図４１ではウエハー１３の背部がウエハー１３の９０％ＫＯＨエッチングされてポート１１が形成される。図４ｍに示すように、ポート１１が完成されると、エッチングバイア穴３２がウエハー１３の正面へ向かって貫通される。
【０００９】
検出器ウエハー１３と同様に、トップキャップウエハー１４が３００℃で焼き付けし低いガス抜きに匹敵する膜で形成される。ウエハー１４は赤外装置１７の窓として作用する。このとき付加構成の制限は、ウエハー１４が低酸素シリコン（即ち、浮動ゾーンシリコン）から作られ、８−１４ミクロン波長窓でのＳｉＯ２吸収ピークが最小にされる。トップキャップウエハー１４には反射防止被覆３４が被覆される。ウエハー１４は半田接着金属・半田リング１５を有し、リング１５は検出器ウエハー１３、検出器１７上のチャンバ１６を形成する境界部１８、及びチップウエハー１３上のワイヤボンドパッドにアクセスするためのウエハー１４を貫通する穴３５と整合される。
【００１０】
図５ａ〜図５ｆはトップキャップウエハー１４を製造する工程を示す。開始材料は２度研磨された（１００）シリコンウエハー１４であり、最小酸素成分の浮動ゾーンにより成長される。図５ａで熱成長されたＳｉＯ２３６ａ、３７ａの１．８ミクロン層が０．３ミクロンのＬＰＣＶＤ  Ｓｉ３Ｎ４層３６ｂ、３７ｂによりカバーされてＫＯＨエッチングがマスクされる。図５ｂでは外側層３６ａ、３６ｂをプラズマエッチング処理してパターンイング処理されてバイア穴３５が形成され、Ｓｉ３Ｎ４の内側層３７ｂにくぼみ部が形成される。次に図４ｃに示すように、ウエハー１４は固定装置に置かれ、外側表面３５、３６ｂがエッチング処理され、内側１６、３７ｂがＫＯＨエッチングウエハー１４をトップキャップウエハー１４の９０％貫通する穴３５に対し保護される。ウエハー１４はエッチング固定装置から外され、図５ｄの残りのＳｉＯ２層３７ａがバッファ酸化物エッチングにより除去されて穴が形成される。また図５ｄはウエハー１４の内側をエッチング処理してくぼみ部を形成した状態を示している。窒化物／酸化物マスク層３６ａ、３６ｂ、３７ａ、３７ｂがウエハー１４から除去される。反射防止被覆３８がウエハー１４上に塗布される。積層リストン法を用いリフトオフ処理により半田リングパターンがくぼみ部を囲む内側表面に与えらえる。５百オングストロームのＴｉ、２０００オングストロームのＮｉ及び５００オングストロームのＡｕの接着金属３９が電子ビーム蒸着装置内で蒸着される。ＩｎＰｂ（１０：９０）半田からなる５ミクロン層４０が熱蒸着装置内で接着金属３９上に蒸着される。リストンマスクがリフトオフ処理されＢＯＥ内の電界ＳｉＯ２がエッチオフ処理（ｅｔｃｈ  ｏｆｆ）されて、図５ｆに示す半田リング１８が得られる。
【００１１】
検出器ウエハー１３及びトップキャップウエハー１４の接着および密封は清浄な面で行われる。ウエハー１３、１４の面接着はウエハー接着を行う前にスパタリングにより清浄にされる。以下の一連の流れは図６ａ、図６ｂ及び図６ｃのウエハー対１３、１４を整合、接着及び密封する方法を示す。当初検出器ウエハー１３のＡｕ半田リング面３３がスパタリングにより清浄にされる。トップキャップウエハー１４のリング１８のＩｎＰｂ面は酸素プラズマにより清浄にされる。図６ａのウエハー１３、１４はウエハー間に０．００２インチ（約０．００５ｃｍ）スペーサを用いて接着カセット内で整合される。整合されたウエハー対は真空プレス装置内に置かれ、プレス装置はターボポンプを用いて良好な真空度まで排気される。図６ｂでウエハー１３、１４は約４００ポンドの圧力で共にプレス処理される。ウエハーの温度は約１時間かけて最大３００℃まで変化させられる。次にウエハー１３、１４はこの得られた温度及び圧力で５分間保持される。次にウエハー１３、１４は室温まで冷却され真空チャンバは排気される。
【００１２】
接着されたウエハー対１３、１４は電子ビーム蒸着システム内に置かれ、排気ポート１１の表面が、その後５００オングストロームのＴｉ、１０００オングストロームのＮｉ及び５００オングストロームのＡｕからなる接着層がスパタリングにより清浄にされる。ウエハー対１３、１４は熱蒸着システム内に置かれ、好ましくは真空下で４時間の間２５０℃で焼き付けされる。ウエハー対１３、１４は冷却されるが、ウエハー対の周囲の環境は所望の真空圧に維持される。２０ミクロンのＩｎＰｂ（５０：５０）１２が検出器ウエハー１３の背側上に蒸着され、図６ｃのポート１１が閉鎖され、ウエハー対１３、１４の真空チャンバ１６が密封される。ウエハー２０上で、複数のチップ内の複数のポート１１が閉鎖される。次にウエハー２０として組み合わされるウエハー１３、１４は真空に対し除去される。ウエハー２０は個々のチップに切断され、各チップは検出器１７を囲む密封チャンバ１６を有している。
【００１３】
更に本発明の変更例は良好なＩＲ伝達を与えるゲルマニウム、広い伝達バンド（即ち、可視光及びＩＲ）を与えるＺｎＳｅ、あるいは特定光バンドパス動作を与える他の光学材料で作られるトップキャップウエハー１４を含む。トップキャップウエハー１４は検出器ウエハー１３上の一体構成部品の外に、その表面上あるいはその内部に一体の構成部品を組込むことが可能である。ダイアフラム圧力センサを有する検出器ウエハー１３はその内部に一体に形成され、次に密封されたチャンバは規準真空圧を形成する。検出器ウエハー１３はウエハー内に一体に形成された表示電子回路を有する赤外ボロメータアレイを持たせることができる。検出器ウエハー１３は他の機能の目的のためチャンバ内に密封される可動部品であることできる。図６ｃ内の接着されたウエハー対１３、１４はチャンバ内の装置に対し単に排気されるのではなく、最適な熱的、機械的あるいは他の特性のため特定ガスタイプの残留圧力を調整することにより気密密封できる。
【図面の簡単な説明】
【図１ａ】  図１ａは蒸着されたプラグ真空密封部を有するチャンバを備えた検出チップの平面図である。
【図１ｂ】  図１ｂは蒸着されたプラグ真空密封部を有するチャンバを備えた検出チップの断面図である。
【図２】  図２は蒸着されたプラグ真空密封部を有する検出チップの斜視図である。
【図３】  図３は複数のプラグ上に蒸着された真空密封部を有する複数の検出器を備えたウエハーを示す図である。
【図４ａ】  図４ａは検出器ウエハーの製造工程を示す図である。
【図４ｂ】  図４ｂは検出器ウエハーの製造工程を示す図である。
【図４ｃ】  図４ｃは検出器ウエハーの製造工程を示す図である。
【図４ｄ】  図４ｄは検出器ウエハーの製造工程を示す図である。
【図４ｅ】  図４ｅは検出器ウエハーの製造工程を示す図である。
【図４ｆ】  図４ｆは検出器ウエハーの製造工程を示す図である。
【図４ｇ】  図４ｇは検出器ウエハーの製造工程を示す図である。
【図４ｈ】  図４ｈは検出器ウエハーの製造工程を示す図である。
【図４ｉ】  図４ｉは検出器ウエハーの製造工程を示す図である。
【図４ｊ】  図４ｊは検出器ウエハーの製造工程を示す図である。
【図４ｋ】  図４ｋは検出器ウエハーの製造工程を示す図である。
【図４ｌ】  図４ｌは検出器ウエハーの製造工程を示す図である。
【図４ｍ】  図４ｍは検出器ウエハーの製造工程を示す図である。
【図５ａ】  図５ａはトップキャップウエハーの製造工程を示す図である。
【図５ｂ】  図５ｂはトップキャップウエハーの製造工程を示す図である。
【図５ｃ】  図５ｃはトップキャップウエハーの製造工程を示す図である。
【図５ｄ】  図５ｄはトップキャップウエハーの製造工程を示す図である。
【図５ｅ】  図５ｅはトップキャップウエハーの製造工程を示す図である。
【図５ｆ】  図５ｆはトップキャップウエハーの製造工程を示す図である。
【図６ａ】  図６ａは検出器ウエハー及びトップキャップウエハーを整合し、接着し密封する工程を示す図である。
【図６ｂ】  図６ｂは検出器ウエハー及びトップキャップウエハーを整合し、接着し密封する工程を示す図である。
【図６ｃ】  図６ｃは検出器ウエハー及びトップキャップウエハーを整合し、接着し密封する工程を示す図である。
【図１ａ】
0004562285.tif 000002
【図１ｂ】
0004562285.tif 000003
【図２】
0004562285.tif 000004
【図３】
0004562285.tif 000005
【図４ａ】
0004562285.tif 000006
【図４ｂ】
0004562285.tif 000007
【図４ｃ】
0004562285.tif 000008
【図４ｄ】
0004562285.tif 000009
【図４ｅ】
0004562285.tif 000010
【図４ｆ】
0004562285.tif 000011
【図４ｇ】
0004562285.tif 000012
【図４ｈ】
0004562285.tif 000013
【図４ｉ】
0004562285.tif 000014
【図４ｊ】
0004562285.tif 000015
【図４ｋ】
0004562285.tif 000016
【図４ｌ】
0004562285.tif 000017
【図４ｍ】
0004562285.tif 000018
【図５ａ】
0004562285.tif 000019
【図５ｂ】
0004562285.tif 000020
【図５ｃ】
0004562285.tif 000021
【図５ｄ】
0004562285.tif 000022
【図５ｅ】
0004562285.tif 000023
【図５ｆ】
0004562285.tif 000024
【図６ａ】
0004562285.tif 000025
【図６ｂ】
0004562285.tif 000026
【図６ｃ】
0004562285.tif 000027